【手続補正書】
【提出日】平成28年2月8日(2016.2.8)
【手続補正１】
【補正対象書類名】特許請求の範囲
【補正対象項目名】全文
【補正方法】変更
【補正の内容】
【特許請求の範囲】
【請求項１】
シートに画像を印刷する印刷手段と、
前記印刷手段によって画像が印刷されたシートの表裏を反転する反転手段と、
前記反転手段によってシートを反転することが必要な第１位置と、前記反転手段によってシートを反転することが必要でない第２位置とを含む複数のステイプル位置のうち、ユーザに指定されたステイプル位置を示す情報を取得する第１の取得手段と、
前記反転手段によって反転することが可能な第１種類と、前記反転手段によって反転することが可能でない第２種類とを含む複数のシートの種類のうち、前記印刷手段による印刷に使用されるシートの種類を示す情報を取得する第２の取得手段と、
前記第１の取得手段が取得した情報が示すステイプル位置と、前記第２の取得手段が取得した情報が示す種類とに基づき、前記印刷手段による印刷を実行するか否かを決定する決定手段と、
を備えることを特徴とする印刷装置。
【請求項２】
シートに画像を印刷する印刷手段と、
前記印刷手段によって画像が印刷されたシートの表裏を反転する反転手段と、
前記反転手段によってシートを反転することが必要な第１位置と、前記反転手段によってシートを反転することが必要でない第２位置とを含む複数のステイプル位置のうち、ユーザによって指定されたステイプル位置を示す情報を取得する第１の取得手段と、
前記反転手段によって反転することが可能な第１種類と、前記反転手段によって反転することが可能でない第２種類とを含む複数のシートの種類のうち、前記印刷手段による印刷に使用されるシートの種類を示す情報を取得する第２の取得手段と、
前記第１の取得手段が取得した情報が前記第１位置を示し、前記第２の取得手段が取得した情報が前記第２種類を示す場合に、前記印刷手段による印刷の実行を禁止する制御手段と、
を備えることを特徴とする印刷装置。
【請求項３】
シートに画像を印刷する印刷手段と、
前記印刷手段によって画像が印刷されたシートの表裏を反転する反転手段と、
前記反転手段によってシートを反転することが必要な第１位置と、前記反転手段によってシートを反転することが必要でない第２位置とを含む複数のステイプル位置のうち、ユーザによって指定されたステイプル位置を示す情報を取得する第１の取得手段と、
前記反転手段によって反転することが可能な第１種類と、前記反転手段によって反転することが可能でない第２種類とを含む複数のシートの種類のうち、前記印刷手段による印刷に使用されるシートの種類を示す情報を取得する第２の取得手段と、
前記第１の取得手段が取得した情報が前記第１位置を示し、前記第２の取得手段が取得した情報が前記第２種類を示す場合に、ユーザに対して所定の通知を行う通知手段と、
を備えることを特徴とする印刷装置。
【請求項４】
前記第１の取得手段が取得した情報が前記第１位置を示し、前記第２の取得手段が取得した情報が前記第２種類を示す場合に、ステイプル位置の変更をユーザに促すための画面を表示させる第１の表示手段を更に備えることを特徴とする請求項２または３に記載の印刷装置。
【請求項５】
前記第１の取得手段が取得した情報が前記第１位置を示し、前記第２の取得手段が取得した情報が前記第２種類を示す場合に、前記印刷手段による印刷に使用されるシートの種類の変更をユーザに促すための画面を表示させる第２の表示手段を更に備えることを特徴とする請求項２または３に記載の印刷装置。
【請求項６】
前記印刷手段は、前記反転手段によってシートが反転されない場合は、先頭ページから順に印刷し、前記反転手段によってシートが反転される場合は、最終ページから順に印刷することを特徴とする請求項１乃至５のいずれか１項に記載の印刷装置。
【請求項７】
前記複数のステイプル位置は、シートの右上、右下、左上、左下を含むことを特徴とする請求項１乃至６のいずれか１項に記載の印刷装置。
【請求項８】
前記複数の種類は、普通紙、厚紙を含むことを特徴とする請求項１乃至７のいずれか１項に記載の印刷装置。
【請求項９】
シートに画像を印刷する印刷手段と、
前記印刷手段によって画像が印刷されたシートの表裏を反転する反転手段と、
を備える印刷装置の制御方法であって、
前記反転手段によってシートを反転することが必要な第１位置と、前記反転手段によってシートを反転することが必要でない第２位置とを含む複数のステイプル位置のうち、ユーザによって指定されたステイプル位置を示す情報を取得する第１の取得工程と、
前記反転手段によって反転することが可能な第１種類と、前記反転手段によって反転することが可能でない第２種類とを含む複数のシートの種類のうち、前記印刷手段による印刷に使用されるシートの種類を示す情報を取得する第２の取得工程と、
前記第１の取得工程で取得した情報が示すステイプル位置と、前記第２の取得工程で取得した情報が示す種類とに基づき、前記印刷手段による印刷を実行するか否かを決定する決定工程と、
を備えることを特徴とする印刷装置の制御方法。
【請求項１０】
シートに画像を印刷する印刷手段と、
前記印刷手段によって画像が印刷されたシートの表裏を反転する反転手段と、
を備える印刷装置の制御方法であって、
前記反転手段によってシートを反転することが必要な第１位置と、前記反転手段によってシートを反転することが必要でない第２位置とを含む複数のステイプル位置のうち、ユーザによって指定されたステイプル位置を示す情報を取得する第１の取得工程と、
前記反転手段によって反転することが可能な第１種類と、前記反転手段によって反転することが可能でない第２種類とを含む複数のシートの種類のうち、前記印刷手段による印刷に使用されるシートの種類を示す情報を取得する第２の取得工程と、
前記第１の取得工程で取得した情報が前記第１位置を示し、前記第２の取得工程で取得した情報が前記第２種類を示す場合に、前記印刷手段による印刷の実行を禁止する制御工程と、
を備えることを特徴とする印刷装置の制御方法。
【請求項１１】
シートに画像を印刷する印刷手段と、
前記印刷手段によって画像が印刷されたシートの表裏を反転する反転手段と、
を備える印刷装置の制御方法であって、
前記反転手段によってシートを反転することが必要な第１位置と、前記反転手段によってシートを反転することが必要でない第２位置とを含む複数のステイプル位置のうち、ユーザによって指定されたステイプル位置を示す情報を取得する第１の取得工程と、
前記反転手段によって反転することが可能な第１種類と、前記反転手段によって反転することが可能でない第２種類とを含む複数のシートの種類のうち、前記印刷手段による印刷に使用されるシートの種類を示す情報を取得する第２の取得工程と、
前記第１の取得工程で取得した情報が前記第１位置を示し、前記第２の取得工程で取得した情報が前記第２種類を示す場合に、ユーザに対して所定の通知を行う通知工程と、
を備えることを特徴とする印刷装置の制御方法。
【請求項１２】
請求項９乃至１１のいずれか１項に記載の印刷装置の制御方法をコンピュータに実行させるためのプログラム。
【手続補正２】
【補正対象書類名】明細書
【補正対象項目名】０００６
【補正方法】変更
【補正の内容】
【０００６】
本発明は、上記の課題を解決するためになされたものである。本発明の目的は、シートを反転することが必要なステイプル位置が指定された状態で、反転できない種類のシートに対する画像の印刷が実行されることを防止する仕組みを提供することである。
【手続補正３】
【補正対象書類名】明細書
【補正対象項目名】０００７
【補正方法】変更
【補正の内容】
【０００７】
上記目的を達成する本発明の印刷装置は、シートに画像を印刷する印刷手段と、前記印刷手段によって画像が印刷されたシートの表裏を反転する反転手段と、前記反転手段によってシートを反転することが必要な第１位置と、前記反転手段によってシートを反転することが必要でない第２位置とを含む複数のステイプル位置のうち、ユーザによって指定されたステイプル位置を示す情報を取得する第１の取得手段と、前記反転手段によって反転することが可能な第１種類と、前記反転手段によって反転することが可能でない第２種類とを含む複数のシートの種類のうち、前記印刷手段による印刷に使用されるシートの種類を示す情報を取得する第２の取得手段と、前記第１の取得手段が取得した情報が示すステイプル位置と、前記第２の取得手段が取得した情報が示す種類とに基づき、前記印刷手段による印刷を実行するか否かを決定する決定手段と、を備えることを特徴とする。
また、本発明の印刷装置は、シートに画像を印刷する印刷手段と、前記印刷手段によって画像が印刷されたシートの表裏を反転する反転手段と、前記反転手段によってシートを反転することが必要な第１位置と、前記反転手段によってシートを反転することが必要でない第２位置とを含む複数のステイプル位置のうち、ユーザによって指定されたステイプル位置を示す情報を取得する第１の取得手段と、前記反転手段によって反転することが可能な第１種類と、前記反転手段によって反転することが可能でない第２種類とを含む複数のシートの種類のうち、前記印刷手段による印刷に使用されるシートの種類を示す情報を取得する第２の取得手段と、前記第１の取得手段が取得した情報が前記第１位置を示し、前記第２の取得手段が取得した情報が前記第２種類を示す場合に、前記印刷手段による印刷の実行を禁止する制御手段と、を備えることを特徴とする。
また、本発明の印刷装置は、シートに画像を印刷する印刷手段と、前記印刷手段によって画像が印刷されたシートの表裏を反転する反転手段と、前記反転手段によってシートを反転することが必要な第１位置と、前記反転手段によってシートを反転することが必要でない第２位置とを含む複数のステイプル位置のうち、ユーザによって指定されたステイプル位置を示す情報を取得する第１の取得手段と、前記反転手段によって反転することが可能な第１種類と、前記反転手段によって反転することが可能でない第２種類とを含む複数のシートの種類のうち、前記印刷手段による印刷に使用されるシートの種類を示す情報を取得する第２の取得手段と、前記第１の取得手段が取得した情報が前記第１位置を示し、前記第２の取得手段が取得した情報が前記第２種類を示す場合に、ユーザに対して所定の通知を行う通知手段と、を備えることを特徴とする。
【手続補正４】
【補正対象書類名】明細書
【補正対象項目名】０００８
【補正方法】変更
【補正の内容】
【０００８】
本発明によれば、シートを反転することが必要なステイプル位置が指定された状態で、反転できない種類のシートに対する画像の印刷が実行されることを防止することができる。
【手続補正５】
【補正対象書類名】図面
【補正対象項目名】図３
【補正方法】変更
【補正の内容】
【図３】
2014037132.tif 000001
【手続補正６】
【補正対象書類名】図面
【補正対象項目名】図４
【補正方法】変更
【補正の内容】
【図４】
2014037132.tif 000002
【手続補正７】
【補正対象書類名】図面
【補正対象項目名】図５
【補正方法】変更
【補正の内容】
【図５】
2014037132.tif 000003